(57)【特許請求の範囲】
【請求項１】
揺動選別装置の揺動本体の前下方に、側部より空気を吸引し、揺動本体に選別風を送風する唐箕（２６）を配設したコンバインの選別装置において、該唐箕（２６）の側部壁に設けられた吸引口に、縦枠（６５・６５）、横枠（６６・６６）、及び唐箕（２６）の回動軸（５２）を枢支する枢結プレート（５４）からなる枠組を付設して、上下の吸引口（５９ａ・５９ｂ）を形成し、該枠組内に複数の板状材の開閉片（６８）を側面視上下の一部が重複するように平行に並設し、上部の第一ブラインドシャッタ（６０）と、下部の第二ブラインドシャッタ（６１）を構成し、該第一ブラインドシャッタ（６０）と第二ブラインドシャッタ（６１）を、前記枢結プレート（５４）に対して上下略対称に構成し、該開閉片（６８）の左右両側面の下部または上部の一方に枢支軸（６８ａ）を設け、該枢支軸（６８ａ）を縦枠（６５・６５）に上下方向所定間隔をあけて枢支し、該枢支軸（６８ａ）を中心として開閉片（６８）を上下に回動可能とし、該開閉片（６８）の左右両側面の下部または上部の他方に、ガイドピン（６８ｂ）を設け、該ガイドピン（６８ｂ）を縦枠（６５・６５）から水平外方向に突出し、該縦枠（６５・６５）に設けられた円弧状の長孔（６５ａ）に挿通して、開閉片（６８）の回動範囲を規制し、何れか一つの開閉片（６８）を回動させることにより他の開閉片（６８）が連動して回動し、該第一ブラインドシャッタ（６０）と第二ブラインドシャッタ（６１）を開閉するよう構成し、前記第一ブラインドシャッタ（６０）の開閉片（６８）を枢支する枢支軸（６８ａ）に固設する連結部材と、第二ブラインドシャッタ（６１）の開閉片（６８）を枢支する枢支軸（６８ａ）に固設する連結部材を接続部材で接続し、該接続した部分に排藁量検知手段に連結した操作部材の一端を固設し、排藁量に応じて開閉片（６８）の開口度を調節可能としたことを特徴とするコンバインの選別装置。
【発明の詳細な説明】
【０００１】
【発明の属する技術分野】
本発明は、ファンの風量を調節する構成に関し、特に、吸引部の開口面積を変更するための技術に関する。
【０００２】
【従来の技術】
従来から、コンバイン等の脱穀装置では、扱胴で脱穀されてクリンプ網を漏下した穀粒等を揺動選別装置にて比重選別を行い、更に、その落下途中で唐箕などの圧風ファンからの選別風により風選別を行っており、前記比重選別は揺動本体を揺動運動させることにより行われていた。また、圃場端での回行時や刈取り初めや終わりの作業時と、通常の作業時とでは穀稈の量に差が生じるため、穀稈量に応じて唐箕の回転数を増減したり、唐箕への空気の吸引量を変更したりして唐箕の風量を調節する技術が公知となっている。例えば、特開平１０−２９５１７５号公報の技術である。
【０００３】
【発明が解決しようとする課題】
しかし、回転数を増減するには変速装置を設ける必要があり、コストアップとなり、構造も複雑となる。また、従来の唐箕の風量を調節する構成においては、唐箕側部の側部壁に設けた吸引口にシャッタを設け、該シャッタを回動して吸引口を開閉するように構成していたが、シャッタを回動して吸引口を開放する際に、吸引口の中心部から先に開かれて、または外周部から開かれて、空気が吸引されるため、選別風の風量とシャッタの回動量とは比例せず、調節が難しかったのである。
【０００４】
【課題を解決するための手段】
本発明の解決しようとする課題は以上の如くであり、次にこの課題を解決するための手段を説明する。
【０００５】
揺動選別装置の揺動本体の前下方に、側部より空気を吸引し、揺動本体に選別風を送風する唐箕（２６）を配設したコンバインの選別装置において、該唐箕（２６）の側部壁に設けられた吸引口に、縦枠（６５・６５）、横枠（６６・６６）、及び唐箕（２６）の回動軸（５２）を枢支する枢結プレート（５４）からなる枠組を付設して、上下の吸引口（５９ａ・５９ｂ）を形成し、該枠組内に複数の板状材の開閉片（６８）を側面視上下の一部が重複するように平行に並設し、上部の第一ブラインドシャッタ（６０）と、下部の第二ブラインドシャッタ（６１）を構成し、該第一ブラインドシャッタ（６０）と第二ブラインドシャッタ（６１）を、前記枢結プレート（５４）に対して上下略対称に構成し、該開閉片（６８）の左右両側面の下部または上部の一方に枢支軸（６８ａ）を設け、該枢支軸（６８ａ）を縦枠（６５・６５）に上下方向所定間隔をあけて枢支し、該枢支軸（６８ａ）を中心として開閉片（６８）を上下に回動可能とし、該開閉片（６８）の左右両側面の下部または上部の他方に、ガイドピン（６８ｂ）を設け、該ガイドピン（６８ｂ）を縦枠（６５・６５）から水平外方向に突出し、該縦枠（６５・６５）に設けられた円弧状の長孔（６５ａ）に挿通して、開閉片（６８）の回動範囲を規制し、何れか一つの開閉片（６８）を回動させることにより他の開閉片（６８）が連動して回動し、該第一ブラインドシャッタ（６０）と第二ブラインドシャッタ（６１）を開閉するよう構成し、前記第一ブラインドシャッタ（６０）の開閉片（６８）を枢支する枢支軸（６８ａ）に固設する連結部材と、第二ブラインドシャッタ（６１）の開閉片（６８）を枢支する枢支軸（６８ａ）に固設する連結部材を接続部材で接続し、該接続した部分に排藁量検知手段に連結した操作部材の一端を固設し、排藁量に応じて開閉片（６８）の開口度を調節可能としたものである。
【０００６】
【発明の実施の形態】
次に、発明の実施の形態を説明する。図１は本発明に係わるコンバインの全体側面図、図２は同じく平面図、図３は同じく正面図、図４は脱穀装置の側面一部断面図、図５は吸引量調整機構を有する選別室前部の側面図、図６は同じく一部正面断面図、図７は同じく一部正面図、図８は別構成例の吸引量調整機構を有する選別室前部の側面図、図９は同じく一部平面図、図１０は図８におけるＡ−Ａ矢視背面断面図、図１１は別構成例の吸引量調整機構の一部側面図、図１２は別構成例の吸引量調整機構の一部側面図、図１３は別構成例の吸引量調整機構の一部側面図である。
【０００７】
まず、本発明に係わるコンバインの全体構成について、図１乃至図３により説明する。クローラ式走行装置１上には機体フレーム２が載置され、該機体フレーム２前端には引起し・刈取部３が昇降可能に配設されている。該引起し・刈取部３は前端に分草板４を突出して穀稈を分草し、その後部に引起しケース５を立設して該引起しケース５より突出したタイン６の回転により穀稈を引き起こし、前記分草板４後部に配設した刈刃７にて株元を刈り取るようにしている。
【０００８】
刈り取られた穀稈は、上部搬送装置、下部搬送装置、縦搬送装置８にて後部へ搬送され、該縦搬送装置８の上端から株元がフィードチェーン９に受け継がれ、脱穀部１２内に穀稈が搬送される。そして、該フィードチェーン９後端には排藁チェーン４７が配設され、該排藁チェーン４７後部下方には排藁処理装置となる排藁カッター装置４８、拡散コンベア４９が上から順に配設されており、排藁を切断して藁片にした後、拡散しながら圃場に均一放出するようにしている。
【０００９】
また、前記脱穀部１２側部には選別後の精粒を貯留する穀粒タンク１３が配設され、該穀粒タンク１３前部には運転室１４が配設される一方、穀粒タンク１３後部には排出オーガ１５の縦オーガ１５ａが立設され、該縦オーガ１５ａを中心にして穀粒タンク１３が側方へ回動可能とし、本機内部側に配置した駆動系や油圧系のメンテナンスを容易にしている。そして、該穀粒タンク１３の底部には排出コンベア１６が前後方向に配設され、該排出コンベア１６から前記排出オーガ１５に動力が伝達されて、排出オーガ１５先端よりトラック等へ穀粒タンク１３内の穀粒を排出できるようにしている。更に、脱穀部１２下方には、選別部１７が配設され、脱穀部１２から流下する穀粒や藁屑等（以下「処理物」とする）から穀粒を選別し、前記穀粒タンク１３に搬送するようにしている。
【００１０】
次に、前記脱穀部１２、選別部１７について、図４より詳細に説明する。脱穀部１２においては、扱胴２１が前後方向に横架され、該扱胴２１周囲には扱刃２１ａ・２１ａ・・・が植設されて脱粒が行われると共に、扱胴２１下部周囲には受網２０が設けられて処理物のみ落下するようにしている。
【００１１】
そして、扱胴２１後部で穀粒タンク１３側には、処理胴２２が扱胴２１と平行に前後方向に横架されると共に、該扱胴２１の後部は、送塵口２３を介して処理胴２２前部へ連通されており、扱胴２１で処理できなかった枝梗付着粒等の未処理物を処理胴２２へ送るようにしている。該処理胴２２の下部周囲には処理胴網２４が設けられ、該処理胴網２４からは、処理物のみ落下するようにすると共に、該処理胴網２４後端からは、大きな藁屑等は、藁屑排出機構を介して前記拡散コンベア４９上に落下し、機外へ排出されるようにしている。
【００１２】
また、選別部１７においては、揺動選別装置２７による比重選別と唐箕２６による風選別とが行われ、一番物と二番物と藁屑等に分別される。この揺動選別装置２７は機枠３５内に収納され、揺動選別装置２７前部は扱胴２１前端部の下方まで位置し、揺動選別装置２７後部は前記処理胴２２後端部の下方まで延設させている。そして、揺動選別装置２７前下部には揺動軸２８が設けられ、後部には揺動駆動リンク機構５０が設けられており、該揺動駆動リンク機構５０により、揺動本体４５が揺動すべく構成されている。
【００１３】
揺動選別装置２７の前部には前流穀板３０が形成され、該前流穀板３０の後下方には後流穀板３１が形成され、該前後の流穀板３０・３１では、板体を波状に成形して穀粒を後方に搬送しやすくしている。そして、前記後流穀板３１後部には、第二選別部である網状のグレンシーブ３２が連設されると共に、該グレンシーブ３２と前記後流穀板３１の上方には、第一選別部であるチャフシーブ３３が被装されている。さらに、該チャフシーブ３３の後方には、ふるい線３４や、前後方向に長い棒状体で上面を波状に形成したストローラック２９が配置されている。
【００１４】
また、揺動選別装置２７下方の前後途中位置には、左右方向に一番コンベア３６と二番コンベア３７とが横設され、このうちの一番コンベア３６の右側には揚穀コンベア３８が連結されており、前記揺動選別装置２７を介して一番コンベア３６の流穀板３９上に漏下された一番物は、一番コンベア３６から揚穀コンベア３８を介して、前記穀粒タンク１３に搬送されるようにしている。また、前記二番コンベア３７の右端には二番還元コンベア４０が連結されており、該二番還元コンベア４０の前方側端部を枝梗処理装置１０に連設し、該枝梗処理装置１０内の枝梗処理胴１１により枝梗を除去した後の二番物を、揺動選別装置２７の選別開始部に再投入する構成としている。
【００１５】
そして、前記前流穀板３０後部の下方には唐箕２６が配置され、グレンシーブ３２やチャフシーブ３３に選別風を送風すると共に、前記一番コンベア３６と二番コンベア３７との間にも副圧送ファンであるセカンドファン４６を設けて選別風を送風し、唐箕２６による選別風の風力が弱まる選別部１７後部においても選別性能が低下しないようにしている。
【００１６】
さらに、揺動選別装置２７の後端部近傍には、吸引ファン２５が全幅に横設されており、該吸引ファン２５に、前記唐箕２６、セカンドファン４６から供給される選別風の流れに乗ってきた塵が吸引されて機外に排出されるのである。
【００１７】
次に、図５乃至図７より本発明について説明する。本発明の吸引量調節機構を唐箕２６に適用した実施例について説明するが、その他コンバインに設けられるセカンドファン等についても適用可能である。前記唐箕２６は、図５及び図６に示すように、左右方向に軸芯を有する回動軸５２と該回動軸５２より半径方向に放射状に突設するプレート状の羽根体５３・５３・・・より構成され、唐箕２６の回動軸５２は本体の側板に固設した枢結プレート５４によりベアリングを介して回転自在に支持され、一側の軸端に入力プーリ４２を固設してエンジンから動力伝達機構を介して唐箕２６に動力が伝達されるようにしている。また、前記唐箕２６の羽根体５３・５３・・・先端の回転軌跡の前方を前ガイド板５５で被装し、下方を側面視円弧状の下ガイド板５６で、上方を上ガイド板５７で被装している。前記下ガイド板５６の終端部に後ガイド板５８が上ガイド板５７と略平行状となるように延設され、後ガイド板５８と上ガイド板５７との間に風路が形成されている。また、前ガイド板５５と上ガイド板５７前端の間にも風路が形成されている。そして、前記唐箕２６側部の側部壁５９には開口が設けられ、前記枢結プレート５４の上下に吸引口５９ａ・５９ｂが形成され、ここから導入した空気は下ガイド板５６、前ガイド板５５、上ガイド板５７に沿わせて、風路に送風している。
【００１８】
このように、唐箕２６は側部より空気を吸引可能に構成しており、本発明においてこの吸引量を調整する吸引量調整機構１８が前記吸引口５９ａ・５９ｂに配置されている。該吸引量調整機構１８は、図５乃至図７に示すように、唐箕２６側部の吸引口５９ａを被装する第一ブラインドシャッタ６０、唐箕２６側部の吸引口５９ｂを被装する第二ブラインドシャッタ６１、第一ブラインドシャッタ６０の回動軸に固設する連結アーム６２、第二ブラインドシャッタ６１の回動軸に固設する連結アーム６３、該連結アーム６２と連結アーム６３の他端を接続するロッド６４等から構成されている。
【００１９】
前記唐箕２６側部の側部壁５９に設けられた吸引口５９ａ・５９ｂには縦枠６５・６５、横枠６６・６６及び枢結プレート５４からなる枠組が形成され、該枠組内に板状材の開閉片６８・６８・・・が側面視上下に並設されて、第一ブラインドシャッタ６０と第二ブラインドシャッタ６１が構成され、該開閉片６８・６８・・・を回動することにより吸引口５９ａ・５９ｂを開閉するようにしている。
【００２０】
ここで、第一ブラインドシャッタ６０と第二ブラインドシャッタ６１は枢結プレート５４に対して上下略対称に配置されているので、第一ブラインドシャッタ６０について説明する。即ち、開閉片６８・６８・・・を上下の一部が重複するように平行に配置して、各開閉片６８の両側面の下部（または上部）に枢支軸６８ａ・６８ａ・・・を水平外方向に突出し、各枢支軸６８ａ・６８ａ・・・を縦枠の内側面に上下方向所定間隔をあけて枢支して、枢支軸６８ａ・６８ａ・・・を中心として開閉片６８を上下に回動可能に構成している。
【００２１】
また、開閉片６８の両側面の上部（または下部）にガイドピン６８ｂ・６８ｂ・・・を水平外方向に突出して設け、各ガイドピン６８ｂ・６８ｂ・・・を縦枠６５・６５に設けられた円弧状の長孔６５ａに挿通して、開閉片６８・６８・・・の回動範囲を規制し、開閉片６８・６８・・・が回動しすぎないようにしている。
【００２２】
さらに、各ガイドピン６８ｂ・６８ｂ・６８ｂの一側を縦枠６５から突出し、各ガイドピン６８ｂ・６８ｂ・６８ｂをリンク６９で連結し、いずれか一つの開閉片６８を回動させることにより他の開閉片６８が連動して回動して、第一ブラインドシャッタ６０を開閉するよう構成されている。そして、前記第一ブラインドシャッタ６０の最下位の開閉片６８は、その枢支軸６８ａ上にバネを外嵌して閉じる方向に付勢され、吸引口５９ａ・５９ｂが被装されるように回動した状態に保持されている。なお、枢支軸６８ａ上にバネを設ける代わりに、リンク６９または連結アーム６２にバネを連結する構成とすることもできる。
【００２３】
そして、第一ブラインドシャッタ６０の最下位の開閉片６８を枢支する枢支軸６８ａ・６８ａに連結アーム６２が固定され、第二ブラインドシャッタ６１の最上位の開閉片６８を枢支する枢支軸６８ａ・６８ａに連結アーム６３が固定されて、該連結アーム６２と連結アーム６３がロッド６４で接続されている。また、前記連結アーム６２には、操作ワイヤー６７の一端が固設され、該操作ワイヤー６７他端が、アウターケース内にガイドされ、排藁量検知手段に連結されている。
【００２４】
このような構成において、排藁量検知手段によって、大量の排藁が検知されると、操作ワイヤー６７を介して連結アーム６２が上方へ回動し、図７の二点鎖線のように、第一ブラインドシャッタ６０の開閉片６８・６８・・・を下方に、第二ブラインドシャッタ６１の開閉片６８・・・を上方に回動して、吸引口８ａ・８ｂを開き、唐箕２６への流入空気量を増加させる。そのため、風量が増して大量の穀粒に対して選別を行えるようになり、揺動本体４５による比重選別の能力が向上される。
【００２５】
逆に、排藁量が減少すると、操作ワイヤ６７が戻されて、第一ブラインドシャッタ６０と第二ブラインドシャッタ６１が吸引口８ａ・８ｂを閉じる方向に回動されて流入空気量を減少し、精粒まで排出しないようにしている。つまり、脱穀処理量に応じて風量を変更できるようにしている。但し、前記ワイヤー６７の他端を運転室１４に配設するレバーと連結して風量を調節したり、ワイヤー６７端をアクチュエータと連結し、該アクチュエータを穀粒量センサーと接続して、穀粒に応じて調節することもできる。
【００２６】
したがって、状況に応じて第一ブラインドシャッタ６０と第二ブラインドシャッタ６１の開口度が開閉片６８・６８・・・の角度により調節可能となり、吸引口５９ａ・５９ｂから流入する空気量を調節することができ、選別風の風量の調節を確実に行うことができる。また、各開閉片６８・６８・・・を外側から開くように構成することも可能である。つまり、図１１に示すように、リンク６９とガイドピン６８ｂ・６８ｂ・６８ｂを連結する枢支孔を、上方より順に長い長孔６９ａ・６９ｂ・６９ｃとし、上（外側）から順に長孔６９ａ・６９ｂ・６９ｃの内面にガイドピン６８ｂ・６８ｂ・６８ｂが当接して開閉片６８を回動駆動するように構成するのである。また、図１２に示すように、各枢支軸６８ａ・６８ａ・６８ａにリンク８３・８３・８３を連結し、枢支軸６８ａ・６８ａ上に順にバネ７３・７３を外嵌して、リンク８３・８３を下方へ回動するように付勢している。そして、該リンク８３・８３・８３にワイヤー６７を挿通し、該ワイヤー６７にストッパー８４・８４・８４を固定し、該ストッパー８４とリンク８３との間隔を順に長くして、開くためにワイヤー６７を引っ張るときに順に当接して開くように構成することもできる。また、図１３に示すように、各枢支軸６８ａ・６８ａ・６８ａに連結固定するリンク８５・８６・８７の長さを順に長くし、該リンク８５・８６・８７の先端にワイヤー８８・８９・９０をそれぞれ連結し、同時にワイヤー８８・８９・９０を引っ張ることによって、外側は速く開き、内側はゆっくり開くように構成することができる。バネ９１・９２は引っ張るときに短いリンク８６・８７の長さ分を許容させるためのものである。このようにして、外側から順にまたは外側から開閉片６８をゆっくり開くようにすることで、穀稈量と風量の関係を比例に近い関係で制御することができるようになる。
【００２７】
次に、図８乃至図１０より本発明の別構成例について説明する。図８乃至図１０に示すように、唐箕２６の側方の吸引口５９ａ・５９ｂに吸引量調整機構１８が配置されており、該吸引量調整機構１８は、唐箕２６側部の吸引口５９ａを被装する第一ブラインドシャッタ７０、唐箕２６側部の吸引口５９ｂを被装する第二ブラインドシャッタ７１、第一ブラインドシャッタ７０に固設する回動アーム７２、第二ブラインドシャッタ７１に固設する回動アーム７２、回動アーム７２・７２に連結される連結アーム７４・７４、連結アーム７４と連結アーム７を接続する接続アーム７６、該接続アーム７６駆動用のアクチュエータ７７から構成されている。
【００２８】
前記唐箕２６側部の側部壁５９に設けられた吸引口５９ａ・５９ｂには縦枠７８・７８、横枠７９及び枢結プレート５４の突出部５４ａからなる枠組が形成され、該枠組内に板状材の開閉片８０・８０・・・が側面視前後に並設されて、第一ブラインドシャッタ７０と第二ブラインドシャッタ７１が構成され、該第一ブラインドシャッタ７０と第二ブラインドシャッタ７１によって吸引口５９ａ・５９ｂを被装するようにしている。
【００２９】
ここで、第一ブラインドシャッタ７０と第二ブラインドシャッタ７１は枢結プレート５４を上下略対称にして配置したものであり、次に第一ブラインドシャッタ７０について説明する。即ち、前記開閉片８０・８０・・・を前後の一部が重複するように平行に配置して、各開閉片８０の上下面前部に枢支軸８０ａ・８０ａを上下方に突出し、各枢支軸８０ａ・８０ａを横枠７９と枢結プレート５４の突出部５４ａの内側面に上下方向に順に枢支して、枢支軸８０ａを中心として開閉片８０・８０・・・を前後に回動可能に構成している。
【００３０】
また、開閉片８０の上下面後部にガイドピン８０ｂ・８０ｂを上下方向に突出し、上方に突出したガイドピン８０ｂを横枠７９に設けられた円弧状の長孔７９ａに挿通し、開閉片８０・８０・・・の回動範囲を規制して、開閉片１２・１２・・・が回動しすぎないようにしている。さらに、枢結プレート５４の突出部５４ａから下方に突出したガイドピン８０ｂがリンク８１により連結されて、開閉片８０・８０・・・を一律に回動させて第一ブラインドシャッタ７０を開閉するよう構成されている。なお、前記第一ブラインドシャッタ７０の最前に位置する開閉片８０は、その枢支軸８０ａ上にバネを外嵌して閉じる方向に付勢され、吸引口５９ａ・５９ｂが被装されるように回動した状態に保持されている。
【００３１】
そして、最前に位置する開閉片８０より下方に突出した枢支軸８０ａの先端に回動アーム７２の一端が連結されている。該回動アーム７２の他端には長孔７２ａが開口され、該長孔７２ａには背面視Ｌ字状の係止ピン８２が係合され、該係止ピン８２は連結アーム７４から垂設されている。
【００３２】
そして、該連結アーム７４と第二ブラインドシャッタ７１に設けられた連結アーム７４とが接続アーム７６により接続され、該接続アーム７６を介して作動軸７７ｃの先端が連結され、該作動軸７７ｃの基部はシリンダ７７ｂから延出され、該シリンダ７７ｂには駆動モータ７７ａが付設されており、該駆動モータ７７ａに排藁量検知手段が接続されている。
【００３３】
このような構成において、排藁量検知手段により大量の排藁が検知されると、排藁量検知手段が駆動モータ７７ａに信号を伝達し、アクチュエータ７７を短縮させる。すると、該アクチュエータ７７先端に連結した接続アーム７６、連結アーム７４は前方へ移動され、係止ピン８２から回動アーム７２、枢支軸８０ａを介して開閉片８０・８０・・・が吸引口５９ａを開放する方向（図で手前側）に回動されて、唐箕２６への流入空気量を増加させる。そのため、風量を増して大量の穀粒に対して選別を行えるようになり、揺動本体５１による比重選別の能力が向上される。
【００３４】
逆に、排藁量が減少すると、排藁量検知手段が駆動モータ７７ａに信号を伝達し、アクチュエータ７７を伸長させる。すると、該アクチュエータ７７先端に連結した接続アーム７６、連結アーム７４は後方へ移動され、係止ピン８２から回動アーム７２、枢支軸８０ａを介して開閉片８０・８０・・・が吸引口５９ａを閉じる方向（図で奥側）に回動されて、唐箕２６への流入空気量を減少して、精粒まで排出しないようにしている。但し、該アクチュエータ７７を穀粒量センサーと接続して、穀粒に応じて変更したり、前記アクチュエータ７７を運転席１４に配設するレバーと接続して風量を変更することもできる。
【００３５】
したがって、状況に応じて第一ブラインドシャッタ７０と第二ブラインドシャッタ７１の開口度は開閉片８０・８０・・・の角度により調節可能となり、吸引口から流入する空気量を調節することができ、選別風の風量の調節を確実に行うことができる。
【００３６】
【発明の効果】
本発明は、以上のように構成したので、以下に示すような効果を奏する。
【００３７】
揺動選別装置の揺動本体の前下方に、側部より空気を吸引し、揺動本体に選別風を送風する唐箕（２６）を配設したコンバインの選別装置において、該唐箕（２６）の側部壁に設けられた吸引口に、縦枠（６５・６５）、横枠（６６・６６）、及び唐箕（２６）の回動軸（５２）を枢支する枢結プレート（５４）からなる枠組を付設して、上下の吸引口（５９ａ・５９ｂ）を形成し、該枠組内に複数の板状材の開閉片（６８）を側面視上下の一部が重複するように平行に並設し、上部の第一ブラインドシャッタ（６０）と、下部の第二ブラインドシャッタ（６１）を構成し、該第一ブラインドシャッタ（６０）と第二ブラインドシャッタ（６１）を、前記枢結プレート（５４）に対して上下略対称に構成し、該開閉片（６８）の左右両側面の下部または上部の一方に枢支軸（６８ａ）を設け、該枢支軸（６８ａ）を縦枠（６５・６５）に上下方向所定間隔をあけて枢支し、該枢支軸（６８ａ）を中心として開閉片（６８）を上下に回動可能とし、該開閉片（６８）の左右両側面の下部または上部の他方に、ガイドピン（６８ｂ）を設け、該ガイドピン（６８ｂ）を縦枠（６５・６５）から水平外方向に突出し、該縦枠（６５・６５）に設けられた円弧状の長孔（６５ａ）に挿通して、開閉片（６８）の回動範囲を規制し、何れか一つの開閉片（６８）を回動させることにより他の開閉片（６８）が連動して回動し、該第一ブラインドシャッタ（６０）と第二ブラインドシャッタ（６１）を開閉するよう構成し、前記第一ブラインドシャッタ（６０）の開閉片（６８）を枢支する枢支軸（６８ａ）に固設する連結部材と、第二ブラインドシャッタ（６１）の開閉片（６８）を枢支する枢支軸（６８ａ）に固設する連結部材を接続部材で接続し、該接続した部分に排藁量検知手段に連結した操作部材の一端を固設し、排藁量に応じて開閉片（６８）の開口度を調節可能としたことにより、吸引部の開口面積を確実に、かつ正確に変更することができるので、吸引口から流入する空気量を調節することができ、選別風の風量の調節を確実に行うことができる。
【図面の簡単な説明】
【図１】  本発明に係わるコンバインの全体側面図。
【図２】  同じく平面図。
【図３】  同じく正面図。
【図４】  脱穀装置の側面一部断面図。
【図５】  吸引量調整機構を有する選別室前部の側面図。
【図６】  同じく一部正面断面図。
【図７】  同じく一部正面図。
【図８】  別構成例の吸引量調整機構を有する選別室前部の側面図。
【図９】  同じく一部平面図。
【図１０】  図８におけるＡ−Ａ矢視背面断面図。
【図１１】  別構成例の吸引量調整機構の一部側面図。
【図１２】  別構成例の吸引量調整機構の一部側面図。
【図１３】  別構成例の吸引量調整機構の一部側面図。
【符号の説明】
２６  唐箕
２７  選別装置
４５  揺動本体
５９ａ  吸引口
５９ｂ  吸引口
６０  第一ブラインドシャッタ
６１  第二ブラインドシャッタ
６８  開閉片
【図１】
0004009101.tif 000002
【図２】
0004009101.tif 000003
【図３】
0004009101.tif 000004
【図４】
0004009101.tif 000005
【図５】
0004009101.tif 000006
【図６】
0004009101.tif 000007
【図７】
0004009101.tif 000008
【図８】
0004009101.tif 000009
【図９】
0004009101.tif 000010
【図１０】
0004009101.tif 000011
【図１１】
0004009101.tif 000012
【図１２】
0004009101.tif 000013
【図１３】
0004009101.tif 000014